(57)【要約】【課題】実際の店舗に赴いたユーザが、簡易にその店舗の商品を用いたコーディネートを行うことが可能なコーディネートシステム、コーディネート方法及びプログラムを提供する。【解決手段】ユーザの携帯電話機３が、店舗販売商品の画像データを記憶した商品ＤＢ５０を備える商品サーバ５と接続されて店舗に設置された店舗端末１と、登録アイテムの画像データをユーザＩＤに対応付けて記憶するクローゼットＤＢ７０を備えるクローゼットサーバ７と、に対して接続されたコーディネートシステム１００において、携帯電話機３は、クローゼットサーバ７から取得したアイテムの画像データ及び他店でチェックした購入予定アイテムの画像データ送信し、店舗端末１は、携帯電話機３から受信したアイテムの画像データと、商品サーバ５から取得した商品の画像データとの中から複数の画像データを選択・組み合わせてコーディネート画像を生成・表示する。【選択図】図１０
2011018115.tif 000002
【特許請求の範囲】
【請求項１】
ユーザが携行する携帯端末が、商品を販売する店舗に設置された店舗端末と、クローゼットＤＢを備えるクローゼットサーバと、に対して通信ネットワークを介して接続されたコーディネートシステムにおいて、
前記クローゼットＤＢは、前記ユーザが購入済みアイテムとして登録するアイテムの画像データである登録アイテム画像データを、前記ユーザを識別するユーザ識別情報に対応付けて記憶し、
前記携帯端末は、
撮影部と、
前記ユーザの入力に対応して、前記登録アイテム画像データを前記クローゼットサーバから取得する自宅クローゼット交信手段と、
前記ユーザが前記撮影部により撮影した商品の画像データ、又は前記撮影部により撮影した商品に付されたタグ情報を読み取ることによって取得した商品の画像データを、購入予定アイテムとして保持する他店チェックアイテム画像保持手段と、
前記自宅クローゼット交信手段によって取得した前記登録アイテム画像データ及び前記他店チェックアイテム画像保持手段により保持した購入予定アイテム画像データを前記店舗端末に送信するアイテム画像交信手段と、
を備え、
前記店舗端末は、
前記店舗で販売する商品の画像データである販売アイテム画像データを記憶した商品ＤＢを備える商品サーバに対して通信可能に接続されており、
表示部と、
前記携帯端末から送信された前記登録アイテム画像データ及び前記購入予定アイテム画像データを受信するアイテム画像交信手段と、
前記商品サーバから前記販売アイテム画像データを取得する商品ＤＢアクセス手段と、
前記商品ＤＢアクセス手段により取得した前記販売アイテム画像データと、前記アイテム画像交信手段により受信した前記登録アイテム画像データ及び前記購入予定アイテム画像データとの中から複数のアイテム画像データを選択するアイテム選択手段と、
前記アイテム選択手段により選択された前記複数のアイテム画像データを組み合わせたコーディネート画像を生成して、前記表示部に表示させるコーディネート画像表示手段と、
を備えること、
を特徴とするコーディネートシステム。
【請求項２】
前記店舗端末の前記アイテム画像交信手段は、前記コーディネート画像を構成する前記販売アイテム画像データに対応した商品を前記ユーザが購入したことで、前記店舗端末での操作に応じて、前記販売アイテム画像データを前記携帯端末に送信し、
前記携帯端末の前記アイテム画像交信手段は、前記店舗端末から送信された前記販売アイテム画像データを受信し、
前記携帯端末の前記自宅クローゼット交信手段は、受信した前記販売アイテム画像データを登録アイテム画像データとして、前記携帯端末を使用する前記ユーザの前記ユーザ識別情報と共に前記クローゼットサーバに送信すること、
を特徴とする請求項１に記載のコーディネートシステム。
【請求項３】
前記クローゼットＤＢは、前記登録アイテム画像データを記憶した日付を示す日付情報を、前記登録アイテム画像データに対応付けて記憶し、
前記携帯端末の前記自宅クローゼット交信手段は、前記日付情報を、前記登録アイテム画像データと共に前記クローゼットサーバから取得すること、
を特徴とする請求項１又は請求項２に記載のコーディネートシステム。
【請求項４】
前記携帯端末の前記アイテム画像交信手段は、前記店舗端末から前記販売アイテム画像データを受信し、
前記携帯端末は、
表示部と、
前記自宅クローゼット交信手段により取得した前記登録アイテム画像データ及び前記他店チェックアイテム画像保持手段により保持した前記購入予定アイテム画像データと、前記アイテム画像交信手段により受信した前記販売アイテム画像データとの中から複数のアイテム画像データを選択するアイテム選択手段と、
前記アイテム選択手段により選択された前記複数のアイテム画像データを組み合わせたコーディネート画像を生成して、前記表示部に表示させるコーディネート画像表示手段と、
を備えること、
を特徴とする請求項１から請求項３までのいずれか１項に記載のコーディネートシステム。
【請求項５】
前記携帯端末は、
前記ユーザが前記アイテムを処分したことで、前記ユーザの入力に対応して、前記クローゼットＤＢから前記アイテムに対応する前記登録アイテム画像データを削除するクローゼットデータ削除手段を備えること、
を特徴とする請求項１から請求項４までのいずれか１項に記載のコーディネートシステム。
【請求項６】
ユーザが携行する携帯端末が、商品を販売する店舗に設置された店舗端末と、クローゼットＤＢを備えるクローゼットサーバと、に対して通信ネットワークを介して接続されたコーディネートシステムで実行するコーディネート方法であって、
前記クローゼットＤＢは、前記ユーザが購入済みアイテムとして登録するアイテムの画像データである登録アイテム画像データを、前記ユーザを識別するユーザ識別情報に対応付けて記憶し、
前記携帯端末が、前記ユーザの入力に対応して、前記登録アイテム画像データを前記クローゼットサーバから取得するステップと、
前記携帯端末が、前記ユーザが前記携帯端末が備える撮影部により撮影した商品の画像データ、又は前記撮影部により撮影した商品に付されたタグ情報を読み取ることによって取得した商品の画像データを、購入予定アイテムとして保持するステップと、
前記携帯端末が、取得した前記登録アイテム画像データ及び保持した購入予定アイテム画像データを前記店舗端末に送信するステップと、
前記店舗端末が、前記携帯端末から送信された前記登録アイテム画像データ及び前記購入予定アイテム画像データを受信するステップと、
前記店舗端末が、前記店舗で販売する商品の画像データである販売アイテム画像データを記憶する商品ＤＢを備える商品サーバから前記販売アイテム画像データを取得するステップと、
前記店舗端末が、取得した前記販売アイテム画像データと、受信した前記登録アイテム画像データ及び前記購入予定アイテム画像データとの中から複数のアイテム画像データを選択するステップと、
前記店舗端末が、選択された前記複数のアイテム画像データを組み合わせたコーディネート画像を生成して、表示部に表示させるステップと、
を含むこと、
を特徴とするコーディネート方法。
【請求項７】
請求項６に記載のコーディネート方法をコンピュータに実行させるためのプログラム。
【発明の詳細な説明】
【技術分野】
【０００１】
本発明は、コーディネートシステム、コーディネート方法及びプログラムに関する。
【背景技術】
【０００２】
従来、利用者の所有する衣類と、画像として提供される衣類とを組み合わせてコーディネートした試着画像を表示する試着画像表示装置が開示されている（例えば、特許文献１参照）。
【先行技術文献】
【特許文献】
【０００３】
【特許文献１】特開２００６−１３５８７６号公報
【発明の概要】
【発明が解決しようとする課題】
【０００４】
特許文献１に記載の試着画像表示装置は、人物、衣類及び靴等の画像を入力し、入力された画像が試着画像のどの部位に当たるかを部位情報として判別し、部位情報に従って入力された画像の画像データを試着画像データ登録部に登録し、試着画像データ登録部に登録された画像データに基づいて各部位情報の示す位置に画像を生成し、生成された画像を合成して試着画像を生成して表示するものであった。この試着画像表示装置を用いたコーディネートのために、ユーザは、人物、衣類及び靴等の画像を試着画像表示装置に入力する作業が必要であった。よって、ユーザが、実際の店舗に赴いて、店舗の商品である服等の購入の場面でのコーディネートに用いる際に、商品の画像をとって試着画像表示装置に入力するといった煩雑な作業を伴うものであり、実際の店舗での使用には不向きであった。
【０００５】
本発明は、実際の店舗に赴いたユーザが、簡易に店舗の商品を用いたコーディネートを行うことが可能なコーディネートシステム、コーディネート方法及びプログラムを提供することを目的とする。
【課題を解決するための手段】
【０００６】
本発明者らは、ユーザが使い慣れた携帯電話機等の携帯端末と、店舗に設置された店舗端末との間で通信をして、携帯端末が、ユーザが登録するアイテムの画像データ及び他店でチェックしたアイテムの画像データを店舗端末に送信し、店舗端末から容易に取得可能な店舗の商品の画像データを用いることで、店舗端末を用いて簡易にコーディネートをする方法を見出し、本発明を完成するに至った。
【０００７】
（１）  ユーザが携行する携帯端末が、商品を販売する店舗に設置された店舗端末と、クローゼットＤＢを備えるクローゼットサーバと、に対して通信ネットワークを介して接続されたコーディネートシステムにおいて、
前記クローゼットＤＢは、前記ユーザが購入済みアイテムとして登録するアイテムの画像データである登録アイテム画像データを、前記ユーザを識別するユーザ識別情報に対応付けて記憶し、
前記携帯端末は、
撮影部と、
前記ユーザの入力に対応して、前記登録アイテム画像データを前記クローゼットサーバから取得する自宅クローゼット交信手段と、
前記ユーザが前記撮影部により撮影した商品の画像データ、又は前記撮影部により撮影した商品に付されたタグ情報を読み取ることによって取得した商品の画像データを、購入予定アイテムとして保持する他店チェックアイテム画像保持手段と、
前記自宅クローゼット交信手段によって取得した前記登録アイテム画像データ及び前記他店チェックアイテム画像保持手段により保持した購入予定アイテム画像データを前記店舗端末に送信するアイテム画像交信手段と、
を備え、
前記店舗端末は、
前記店舗で販売する商品の画像データである販売アイテム画像データを記憶した商品ＤＢを備える商品サーバに対して通信可能に接続されており、
表示部と、
前記携帯端末から送信された前記登録アイテム画像データ及び前記購入予定アイテム画像データを受信するアイテム画像交信手段と、
前記商品サーバから前記販売アイテム画像データを取得する商品ＤＢアクセス手段と、
前記商品ＤＢアクセス手段により取得した前記販売アイテム画像データと、前記アイテム画像交信手段により受信した前記登録アイテム画像データ及び前記購入予定アイテム画像データとの中から複数のアイテム画像データを選択するアイテム選択手段と、
前記アイテム選択手段により選択された前記複数のアイテム画像データを組み合わせたコーディネート画像を生成して、前記表示部に表示させるコーディネート画像表示手段と、
を備えること、
を特徴とするコーディネートシステム。
【０００８】
本発明のこのような構成によれば、携帯端末を店舗端末に連携させて、店舗端末でユーザが登録するアイテムと店舗の商品とを用いたコーディネート画像を表示する。よって、店舗端末に接続した商品ＤＢの画像データを用いることで、携帯端末のユーザが登録するアイテム、つまり、ユーザが自宅のクローゼットに所有しているアイテムと、店舗の商品とのコーディネートを簡易にすることができる。また、実際の店舗でコーディネートができるので、ユーザは、試着の手間を省けて、たくさんの種類のコーディネートを短時間で行うことができる。店舗では、店舗内の様々な商品を用いたコーディネートをユーザに提供できるので、商品の販売促進につなげることができる。
【０００９】
また、本発明のこのような構成によれば、他店でチェックした商品の画像データを取り込むことができる。よって、その画像データを、商品の購入を検討する購入予定アイテムとして保持することができる。そして、画像データは、店舗端末に送信してアイテム選択の際に用いることができるので、コーディネートの際に、購入検討中のアイテムをも含めて、コーディネートを行うことができる。
【００１０】
（２）  前記店舗端末の前記アイテム画像交信手段は、前記コーディネート画像を構成する前記販売アイテム画像データに対応した商品を前記ユーザが購入したことで、前記店舗端末での操作に応じて、前記販売アイテム画像データを前記携帯端末に送信し、
前記携帯端末の前記アイテム画像交信手段は、前記店舗端末から送信された前記販売アイテム画像データを受信し、
前記携帯端末の前記自宅クローゼット交信手段は、受信した前記販売アイテム画像データを登録アイテム画像データとして、前記携帯端末を使用する前記ユーザの前記ユーザ識別情報と共に前記クローゼットサーバに送信すること、
を特徴とする（１）に記載のコーディネートシステム。
【００１１】
本発明のこのような構成によれば、商品の購入時には、その商品に関する情報を携帯端末に取り込んで、クローゼットサーバに送信する。よって、購入した商品を追加したユーザの自宅に所有のアイテムと、クローゼットサーバに記憶された登録アイテム画像データとを対応付けることができる。
【００１２】
（３）  前記クローゼットＤＢは、前記登録アイテム画像データを記憶した日付を示す日付情報を、前記登録アイテム画像データに対応付けて記憶し、
前記携帯端末の前記自宅クローゼット交信手段は、前記日付情報を、前記登録アイテム画像データと共に前記クローゼットサーバから取得すること、
を特徴とする（１）又は（２）に記載のコーディネートシステム。
【００１３】
本発明のこのような構成によれば、登録アイテム画像データを記憶した日付の日付情報を有するので、画像データと共にその日付、つまり、アイテムを入手した日付を表示させることができる。よって、アイテムをいつ所有したかをユーザが知ることができる情報を提供できるので、例えば、時代遅れのアイテムを廃棄処分にする等の作業に役立たせることができる。
【００１４】
（４）  前記携帯端末の前記アイテム画像交信手段は、前記店舗端末から前記販売アイテム画像データを受信し、
前記携帯端末は、
表示部と、
前記自宅クローゼット交信手段により取得した前記登録アイテム画像データ及び前記他店チェックアイテム画像保持手段により保持した前記購入予定アイテム画像データと、前記アイテム画像交信手段により受信した前記販売アイテム画像データとの中から複数のアイテム画像データを選択するアイテム選択手段と、
前記アイテム選択手段により選択された前記複数のアイテム画像データを組み合わせたコーディネート画像を生成して、前記表示部に表示させるコーディネート画像表示手段と、
を備えること、
を特徴とする（１）から（３）までのいずれかに記載のコーディネートシステム。
【００１５】
本発明のこのような構成によれば、携帯端末において、コーディネート画像を生成して表示することができる。よって、例えば、新たに購入した商品に合うコーディネートを、ユーザの所有のアイテムやユーザが他店でチェックした購入予定アイテムを用いて、何通りも行うことができる。携帯端末でできるので、場所や時間等を問わずにコーディネートを手軽に行うことができる。
【００１６】
（５）  前記携帯端末は、
前記ユーザが前記アイテムを処分したことで、前記ユーザの入力に対応して、前記クローゼットＤＢから前記アイテムに対応する前記登録アイテム画像データを削除するクローゼットデータ削除手段を備えること、
を特徴とする（１）から（４）までのいずれかに記載のコーディネートシステム。
【００１７】
本発明のこのような構成によれば、実際に所有しているアイテムを処分するにあたって、クローゼットサーバに有するアイテムのデータを削除することができる。よって、クローゼットサーバのアイテムと、実際にユーザが所有しているアイテムとを対応付けることができる。
【００１８】
（６）  ユーザが携行する携帯端末が、商品を販売する店舗に設置された店舗端末と、クローゼットＤＢを備えるクローゼットサーバと、に対して通信ネットワークを介して接続されたコーディネートシステムで実行するコーディネート方法であって、
前記クローゼットＤＢは、前記ユーザが購入済みアイテムとして登録するアイテムの画像データである登録アイテム画像データを、前記ユーザを識別するユーザ識別情報に対応付けて記憶し、
前記携帯端末が、前記ユーザの入力に対応して、前記登録アイテム画像データを前記クローゼットサーバから取得するステップと、
前記携帯端末が、前記ユーザが前記携帯端末が備える撮影部により撮影した商品の画像データ、又は前記撮影部により撮影した商品に付されたタグ情報を読み取ることによって取得した商品の画像データを、購入予定アイテムとして保持するステップと、
前記携帯端末が、取得した前記登録アイテム画像データ及び保持した購入予定アイテム画像データを前記店舗端末に送信するステップと、
前記店舗端末が、前記携帯端末から送信された前記登録アイテム画像データ及び前記購入予定アイテム画像データを受信するステップと、
前記店舗端末が、前記店舗で販売する商品の画像データである販売アイテム画像データを記憶する商品ＤＢを備える商品サーバから前記販売アイテム画像データを取得するステップと、
前記店舗端末が、取得した前記販売アイテム画像データと、受信した前記登録アイテム画像データ及び前記購入予定アイテム画像データとの中から複数のアイテム画像データを選択するステップと、
前記店舗端末が、選択された前記複数のアイテム画像データを組み合わせたコーディネート画像を生成して、表示部に表示させるステップと、
を含むこと、
を特徴とするコーディネート方法。
【００１９】
（７）  （６）に記載のコーディネート方法をコンピュータに実行させるためのプログラム。
【発明の効果】
【００２０】
本発明によれば、店舗端末に接続した商品ＤＢの画像データを用いることで、携帯端末のユーザが登録するアイテムと、店舗の商品とのコーディネートを簡易に行うことができる。
【図面の簡単な説明】
【００２１】
【図１】第１実施形態に係るコーディネートシステムの全体構成を示す図である。
【図２】第１実施形態に係るコーディネートシステムの機能構成を示す図である。
【図３】第１実施形態に係る店舗端末のハードウェア構成を示す図である。
【図４】第１実施形態に係る携帯電話機のハードウェア構成を示す図である。
【図５】第１実施形態に係るコーディネート処理のフローチャートである。
【図６】第１実施形態に係るクローゼットＤＢの例を示す図である。
【図７】第１実施形態に係る商品ＤＢの例を示す図である。
【図８】第１実施形態に係るコーディネート画面の例を示す図である。
【図９】第１実施形態に係るアイテム削除処理のフローチャートである。
【図１０】第２実施形態に係るコーディネートシステムの機能構成を示す図である。
【図１１】第２実施形態に係るチェックリスト作成処理のフローチャートである。
【図１２】第２実施形態に係るコーディネート処理の一部を示すフローチャートである。
【図１３】第２実施形態に係るコーディネート画面の例を示す図である。
【発明を実施するための形態】
【００２２】
以下、本発明を実施するための形態について、図を参照しながら説明する。なお、これはあくまでも一例であって、本発明の技術的範囲はこれに限られるものではない。
【００２３】
（第１実施形態）
［コーディネートシステム１００の全体及び機能構成］
図１は、第１実施形態に係るコーディネートシステム１００の全体構成を示す図である。図２は、第１実施形態に係るコーディネートシステム１００の機能構成を示す図である。本実施形態は、ユーザが実際に所有する洋服等の衣類や、各種アクセサリ、靴、カバン等のユーザが身につけるアイテムの画像データ（登録アイテム画像データ）を、携帯電話機３（携帯端末）から店舗端末１に対して送信する。そして、店舗端末１において、店舗で取り扱っている商品（アイテム）の画像データ（販売アイテム画像データ）と、携帯電話機３から受信したアイテムの画像データとを組み合わせて生成したコーディネート画像を表示させるものである。
【００２４】
図１に示すように、コーディネートシステム１００は、店舗端末１と、携帯電話機３と、商品サーバ５と、クローゼットサーバ７と、通信ネットワーク９とから構成される。
【００２５】
店舗端末１は、例えば、パソコン（パーソナルコンピュータ）であって、コーディネート画像を表示するために用いる専用端末である。店舗端末１は、商品を販売する店舗に設置され、商品の画像データを記憶する商品サーバ５に対して通信可能に接続されている。ここで、店舗では、ユーザが身につけるアイテムを、商品として販売している。店舗端末１は、その他、商品単位の集計機能を持ったレジスター機能を有したＰＯＳ（Ｐｏｉｎｔ  Ｏｆ  Ｓａｌｅｓ）端末等の兼用端末であってもよい。
【００２６】
図２に示すように、店舗端末１は、制御部１０と、記憶部２０と、表示部２２と、入力部２４と、通信Ｉ／Ｆ部２６（Ｉ／Ｆ：インタフェース）とを備える。
【００２７】
制御部１０は、商品ＤＢアクセス手段１１（ＤＢ：データベース）と、アイテム画像交信手段１２と、アイテム選択手段１３と、コーディネート画像表示手段１４とを備える。商品ＤＢアクセス手段１１は、通信Ｉ／Ｆ部２６を介して商品サーバ５に記憶された商品ＤＢ５０から、商品の画像データを取得する制御部である。アイテム画像交信手段１２は、通信Ｉ／Ｆ部２６を介して携帯電話機３との間で通信を行って、種々の画像データを送受信する制御部である。アイテム選択手段１３は、商品の画像データと、アイテムの画像データとの中から複数の画像データを選択する制御部である。コーディネート画像表示手段１４は、アイテム選択手段１３により選択された複数の画像データを組み合わせてコーディネート画像データを生成して、表示部２２にコーディネート画像を表示させる制御部である。
【００２８】
携帯電話機３は、ユーザが店舗等に携行可能な情報通信端末である。携帯電話機３は、例えば、Ｗｅｂブラウザ機能を搭載し、クローゼットサーバ７に対して通信可能な端末である。また、携帯電話機３は、例えば、赤外線通信によって、店舗端末１に対して通信可能な端末である。
【００２９】
携帯電話機３は、制御部３０と、記憶部４０と、表示部４２と、入力部４４と、通信Ｉ／Ｆ部４６とを備える。
【００３０】
制御部３０は、自宅クローゼット交信手段３１と、アイテム画像交信手段３２と、クローゼットデータ削除手段３８とを備える。自宅クローゼット交信手段３１は、通信Ｉ／Ｆ部４６を介してクローゼットサーバ７のクローゼットＤＢ７０に対して交信を行う制御部である。アイテム画像交信手段３２は、通信Ｉ／Ｆ部４６を介して店舗端末１との間で通信を行って、画像データを送受信する制御部である。クローゼットデータ削除手段３８は、クローゼットサーバ７のクローゼットＤＢ７０からデータを削除する制御部である。
【００３１】
なお、本発明でいうコンピュータとは、記憶装置、制御部等を備えた情報処理装置をいい、店舗端末１は、記憶部２０と、制御部１０とを備えた情報処理装置であり、携帯電話機３は、記憶部４０と、制御部３０とを備えた情報処理装置であり、これらの情報処理装置は、本発明のコンピュータの概念に含まれる。
【００３２】
商品サーバ５は、店舗端末１に対して通信ネットワーク９を介して接続されたコンピュータであり、商品ＤＢ５０を備える。商品ＤＢ５０は、店舗で販売する商品に関する情報を格納したデータベースである。商品ＤＢ５０は、商品の画像データを格納する（図１）。
【００３３】
クローゼットサーバ７は、携帯電話機３に対して通信ネットワーク９を介して接続されたコンピュータであり、クローゼットＤＢ７０を備える。クローゼットＤＢ７０は、携帯電話機３のユーザ単位で、自宅に所有するアイテムに関する情報を格納したデータベースである。クローゼットＤＢ７０は、アイテムの画像データを格納する。図１では、ユーザＡの自宅にある衣類と、ユーザＢの自宅にある衣類とを各々画像データ化して、クローゼットＤＢ７０に、各々のユーザが所有のアイテムの画像データが、ユーザ単位で記憶されている態様を示す。
【００３４】
通信ネットワーク９は、有線の通信であっても無線通信であってもよい。通信ネットワーク９は、例えば、ＴＣＰ／ＩＰプロトコルを用いた通信や、赤外線通信に関するＩｒＤＡ規格、高速転送規格であるＩｒＳｉｍｐｌｅ等に準拠した通信方式を用いた赤外線通信を行うものである。通信ネットワーク９は、店舗端末１と商品サーバ５との間、店舗端末１と携帯電話機３との間、携帯電話機３とクローゼットサーバ７との間において、各々データの送受信を行うことができる。
【００３５】
［店舗端末１のハードウェア構成図］
図３は、第１実施形態に係る店舗端末１のハードウェア構成を示す図である。本発明が実施される処理装置は、標準的なものでよく、以下に、構成の一例を示す。
【００３６】
店舗端末１は、制御部１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６、並びに半導体メモリ１０７８を備える。なお、ハードディスク１０７４、光ディスクドライブ１０７６、及び半導体メモリ１０７８は、まとめて記憶部２０と呼ぶ。
【００３７】
ＣＰＵ１０１０は、店舗端末１を統括的に制御する部分であり、ハードディスク１０７４に記憶された各種プログラムを適宜読み出して実行することにより、上述したハードウェアと協働し、本発明に係る各種機能を実現している。
【００３８】
通信Ｉ／Ｆ１０４０は、通信Ｉ／Ｆ部２６に対応する部分であり、店舗端末１が、通信ネットワーク９を介して商品サーバ５に対してデータを送受信する場合のネットワークアダプタである。通信Ｉ／Ｆ１０４０は、モデム、ケーブルモデム及びイーサネット（登録商標）アダプタを含んでよい。また、通信Ｉ／Ｆ部１０４０は、店舗端末１が、通信ネットワーク９を介して携帯電話機３に対してデータを送受信する場合の赤外線ポートである。
【００３９】
ＢＩＯＳ１０６０は、店舗端末１の起動時にＣＰＵ１０１０が実行するブートプログラムや、店舗端末１のハードウェアに依存するプログラム等を記録する。
【００４０】
表示装置１０２２は、表示部２２に対応する部分であり、ブラウン管表示装置（ＣＲＴ）、液晶表示装置（ＬＣＤ）等のディスプレイ装置を含む。
【００４１】
Ｉ／Ｏコントローラ１０７０には、ハードディスク１０７４、光ディスクドライブ１０７６、及び半導体メモリ１０７８等の記憶装置である記憶部２０を接続することができる。
【００４２】
入力装置１１００は、入力部２４に対応する部分であり、店舗端末１のユーザによる入力の受け付けを行うものである。
【００４３】
ハードディスク１０７４は、本ハードウェアを店舗端末１として機能させるための各種プログラム、本発明の機能を実行するプログラム等を記憶する。なお、店舗端末１は、外部に別途設けたハードディスク（図示せず）を外部記憶装置として利用することもできる。
【００４４】
光ディスクドライブ１０７６としては、例えば、ＤＶＤ−ＲＯＭドライブ、ＣＤ−ＲＯＭドライブ、ＤＶＤ−ＲＡＭドライブ、ＢＤ（Ｂｌｕ−ｒａｙ（登録商標）  Ｄｉｓｃ）ドライブを使用することができる。この場合は、各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００４５】
［携帯電話機３のハードウェア構成］
図４は、第１実施形態に係る携帯電話機３のハードウェア構成を示す図である。本発明が実施される処理装置は、標準的なものでよく、以下に、構成の一例を示す。
【００４６】
店舗端末１は、制御部３０を構成するＣＰＵ１１１０、バスライン１１０５、表示装置１１２０、音入出力装置１１３０、無線通信回路１１４１、赤外線ポート１１４２、記憶部４０を構成するメモリ１１５０、ＣＣＤカメラ１１６０（ＣＣＤ：Ｃｈａｒｇｅ  Ｃｏｕｐｌｅｄ  Ｄｅｖｉｃｅ（電荷結合素子））、ＩＣ通信１１７０（ＩＣ：Ｉｎｔｅｇｒａｔｅｄ  Ｃｉｒｃｕｉｔ（半導体集積回路））、ＧＰＳ１１８０（ＧＰＳ：ｇｌｏｂａｌ  ｐｏｓｉｔｉｏｎｉｎｇ  ｓｙｓｔｅｍ（全地球測位システム））、センサ１１９０、入力装置１２００を備える。なお、無線通信回路１１４１、及び赤外線ポート１１４２は、通信装置１１４０を構成している。
【００４７】
ＣＰＵ１１１０は、携帯電話機３を統括的に制御する部分であり、メモリ１１５０に記憶された各種プログラムを適宜読み出して実行することにより、上述したハードウェアと協働し、本発明に係る各種機能を実現している。
【００４８】
表示装置１１２０は、表示部４２に対応する部分であり、液晶表示装置（ＬＣＤ）等のディスプレイ装置を含む。複数有していてもよい。
【００４９】
音入出力装置１１３０は、マイク、スピーカ、音信号処理部等を含む。スピーカは、受話音声や着信音等の音声出力を得るための装置である。マイクは、送話音声等を集音するための装置である。音信号処理部は、音声信号であるアナログ信号とデジタル信号とを変換する制御部である。
【００５０】
通信装置１１４０は、通信Ｉ／Ｆ部４６に対応する部分である。無線通信回路１１４１は、携帯電話機３が、通信ネットワーク９を介してクローゼットサーバ７に対してデータを送受信する場合の無線通信を制御する。この無線通信回路１１４１は、ＣＰＵ１１１０の制御の下で、例えば、パケット通信用のデータを送信信号にして、アンテナから通信ネットワーク９に送信したり、無線信号を受信してパケット通信用のデータに変換したりする。赤外線ポート１１４２は、赤外線による通信を行うためのものである。
【００５１】
メモリ１１５０は、ＲＯＭ、ＲＡＭ等を含む半導体記憶装置である。メモリ１１５０は、本ハードウェアを携帯電話機３として機能させるための各種プログラム、本発明の機能を実行するプログラム等を記憶する。
【００５２】
ＣＣＤカメラ１１６０は、撮像装置であり、被写体や風景等を撮像したり、二次元コード等の画像を撮像する。
【００５３】
ＩＣ通信１１７０は、リーダライタ装置との間で、ＩＣ通信等の所定の通信プロトコルによる通信を行うためのアンテナや無線通信回路を有している。
【００５４】
ＧＰＳ１１８０は、地球の周囲に配置している複数のＧＰＳ衛星から電波を受信して、携帯電話機３の位置する緯度、経度及び高度のデータを算出するための装置である。
【００５５】
センサ１１９０は、加速度センサ、地磁気センサ等で構成され、携帯電話機３の位置、傾き、移動速度等を算出するための装置である。
【００５６】
入力装置１２００は、入力部４４に対応する部分であり、携帯電話機３のユーザによる入力の受け付けを行う操作ボタンである。
【００５７】
また、図示を省略しているが、携帯電話機３は、現在時刻を計時する内部クロックや、充電可能なバッテリ、バッテリから各装置に所定電圧の電力を共有する電力供給回路等を有している。
【００５８】
［処理の説明］
次に、本実施形態を実現するための処理について説明する。図５は、第１実施形態に係るコーディネート処理のフローチャートである。図６は、第１実施形態に係るクローゼットＤＢ７０の例を示す図である。図７は、第１実施形態に係る商品ＤＢ５０の例を示す図である。図８は、第１実施形態に係るコーディネート画面８０の例を示す図である。
【００５９】
図５のＳ１：携帯電話機３の制御部３０は、ユーザによる入力部４４の入力に応答して、Ｗｅｂブラウザを起動する。ここで、携帯電話機３は、記憶部４０にＷｅｂブラウザを記憶しているものとする。そして、ユーザが、入力部４４によりクローゼットサーバ７のＵＲＬを指定することで、制御部３０（自宅クローゼット交信手段３１）は、クローゼットサーバ７に対する通信を確立する。
【００６０】
Ｓ２：制御部３０（自宅クローゼット交信手段３１）は、ユーザＩＤ（ユーザ識別情報）をクローゼットサーバ７に送信することで、クローゼットサーバ７のクローゼットＤＢ７０にアクセスして、ユーザＩＤに対応付けがされたコーディネート対象のアイテムの画像データを抽出する。ここで、制御部３０は、入力部４４での入力に基づき、指定されたアイテムの画像データに関する情報に対応するアイテムの画像データを抽出してもよい。指定されたアイテムの画像データに関する情報として、例えば、クローゼットＤＢ７０の各項目の値を用いることができる。
【００６１】
クローゼットＤＢ７０について、図６に基づき説明する。図６に一例を示すクローゼットＤＢ７０は、携帯電話機３のユーザごとに、ユーザの自宅に所有のアイテムの画像データと、アイテムに関する情報とを対応付けて格納したデータベースである。クローゼットＤＢ７０は、ユーザＩＤ７１と、商品コード７２と、画像７３と、取得日７４と、分類７５と、サイズ７６と、対象季節７７と、カラー７８との各項目を有する。
【００６２】
ユーザＩＤ７１には、ユーザを特定する識別コードを格納する。商品コード７２には、アイテムの種類ごとに付されたアイテムを一意に表すコードを格納する。画像７３には、アイテムの画像データを格納する。なお、クローゼットＤＢ７０の画像７３には、画像データが実際に記憶されているサーバ等の所在の情報を格納して、画像データを図示しない他のサーバのＤＢに記憶してもよい。また、画像データは、カメラ等でアイテムを撮影することで作成される画像データでもよいし、いわゆる「アバター」等に飾りつける絵として描かれた、例えば、ＧＩＦ形式やビットマップ形式の画像データであってもよい。
【００６３】
取得日７４には、アイテムを実際に取得した日付を格納する。分類７５には、アイテムの分類を格納する。分類は、例えば、シャツやブレザー等の上半身に着る衣服であることを示す「トップス」、スカートやパンツ等の下半身に着る衣服であることを示す「ボトムズ」、「帽子」、「靴」、「カバン」、「アクセサリ」等である。サイズ７６には、衣服や靴等のサイズのあるアイテムの場合に、それらのサイズを格納する。対象季節７７には、「春」、「夏」、「オール」等の季節に関する情報を格納する。カラー７８には、対象の商品の主な色を格納する。その他、アイテムの特徴を示す項目として、例えば、「購入店」、「模様」等の項目を有していてもよい。
【００６４】
図５に戻り、Ｓ２では、制御部３０は、アイテムの画像データに関する情報として、例えば、クローゼットＤＢ７０の分類７５が「トップス」のものを指定したり、対象季節７７に「春」を含むものを指定したりしたことで、各々の情報を含むアイテムの画像データを抽出できる。
【００６５】
Ｓ３：制御部３０（アイテム画像交信手段３２）は、抽出したアイテムの画像データを、店舗端末１に対して送信する。ここで、店舗端末１に送信するアイテムの画像データの数は、１つ以上でよい。
【００６６】
Ｓ４：店舗端末１の制御部１０（アイテム画像交信手段１２）は、携帯電話機３から送信されたアイテムの画像データを受信する。
【００６７】
Ｓ５：制御部１０（商品ＤＢアクセス手段１１）は、商品の画像データの抽出要求を商品サーバ５に対して送信することで、商品サーバ５の商品ＤＢ５０にアクセスして、商品の画像データを抽出する。ここで、制御部１０は、入力部２４からの入力に基づき、指定された商品の画像データに関する情報に対応する商品の画像データを抽出してもよい。指定された商品の画像データに関する情報として、例えば、商品ＤＢ５０の各項目の値を用いることができる。
【００６８】
商品ＤＢ５０について、図７に基づき説明する。図７に一例を示す商品ＤＢ５０は、商品ごとに、店舗での販売対象の商品に関する情報を格納したデータベースである。商品ＤＢ５０は、商品コード５１と、画像５２と、分類５３と、サイズ５４と、対象季節５５と、カラー５６と、金額５７と、店舗コード５８と、在庫数５９との各項目を有する。
【００６９】
商品コード５１は、図６の商品コード７２と同様であり、商品を一意に表すコードが格納される。画像５２には、商品の画像データを格納する。なお、画像５２には、画像データが実際に記憶されているサーバ等の所在の情報を格納して、画像データを図示しない他のサーバのＤＢに記憶してもよい。分類５３には、対象の商品の分類を格納する。サイズ５４には、対象の商品のサイズを格納する。対象季節５５には、対象の商品を活用する季節に関する情報を格納する。カラー５６には、対象の商品の主な色を格納する。この分類５３からカラー５６までの各項目は、図６で説明したクローゼットＤＢ７０の分類７５からカラー７８までと同様である。金額５７には、商品の金額を格納する。店舗コード５８には、店舗ごとに異なる一意のコードを格納する。在庫数５９は、商品の在庫数を格納する。
【００７０】
図５に戻り、Ｓ５では、制御部１０は、商品の画像データに関する情報として、例えば、商品ＤＢ５０の店舗コード５８が店舗端末１を設置した店舗の店舗コードであり、在庫数５９が１以上であって、分類５３が「トップス」で、対象季節５５が「春」を含むものを抽出することができる。
【００７１】
Ｓ６：制御部１０（アイテム選択手段１３）は、Ｓ５で抽出した商品の画像データと、Ｓ４で受信したアイテムの画像データとの中から、複数の画像データを選択する。
【００７２】
Ｓ７：制御部１０（コーディネート画像表示手段１４）は、選択された複数の画像データを組み合わせてコーディネート画像データを生成して、コーディネート画像を表示部２２に表示させる。
【００７３】
Ｓ８：制御部１０は、Ｓ７で組み合わせたコーディネート画像を変更するか否かを判断する。コーディネート画像を変更する場合（Ｓ８：ＹＥＳ）には、制御部１０は、処理をステップＳ６に移す。コーディネート画像を変更しない場合（Ｓ８：ＮＯ）には、制御部１０は、処理をステップＳ９に移す。
【００７４】
ここで、Ｓ６からＳ８で説明したアイテム選択手段１３での複数の画像データの選択及びコーディネート画像表示手段１４での複数の画像データによるコーディネート画像の表示の例を、図８に示す。
【００７５】
図８は、店舗端末１の表示部２２に表示されるコーディネート画面８０の例を示す図である。コーディネート画面８０には、モデル画像８１と、試着部８２と、アイテム画像８３と、切替ボタン８４Ｌ及び８４Ｒと、候補画像部８５と、プロパティ部８６と、購入ボタン８７とが表示されている。
【００７６】
モデル画像８１は、コーディネート画面８０の中央部に表示される。モデル画像８１は、アイテムと商品とをコーディネートをするためのモデルとなる画像であり、その画像は、架空の人物の画像でよい。入力部２４からの入力によって、制御部１０は、モデル画像８１のサイズを予め決定して表示する。例えば、コーディネートをする対象のユーザが背が高く細い場合には、制御部１０は、モデル画像８１を、その身長方向に伸ばして、横幅方向を狭めるように画像を変更させる。また、ユーザが背が低く太い場合には、制御部１０は、モデル画像８１を、その身長方向を縮めて、横幅方向を広げるように画像を変更させる。
【００７７】
試着部８２は、店舗の商品であって、上述の図５のＳ５で抽出した商品の画像８２ａを表示させる場所であり、モデル画像８１上に配置する。試着部８２のモデル画像８１上の配置位置は、例えば、ユーザが入力部２４を操作することで、操作に応じて上下左右方向に変更させることができる。また、試着部８２の範囲は、ユーザが入力部２４を操作することで、操作に応じて拡大、縮小方向に変更できる。試着部８２に表示する商品の画像８２ａは、その背面を透過性のある画像にすることで、モデル画像８１上に配置した場合に、あたかもモデル画像８１がその商品を着ているかのように見せることができる。この例では、商品の画像８２ａは、図７に示す商品ＤＢ５０の（Ａ）に対応している。
【００７８】
アイテム画像８３は、携帯電話機３から送信したアイテムの画像データである。アイテム画像８３は、ユーザが入力部２４を操作することで、モデル画像８１上の適宜の位置に、適宜の大きさで配置される。この例では、アイテム画像８３は、図６に示すクローゼットＤＢ７０の（Ｂ）に対応している。
【００７９】
切替ボタン８４Ｌ及び８４Ｒは、試着部８２に表示された商品の画像データを、候補画像部８５に表示された商品の画像データに変更させるためのボタンである。
【００８０】
候補画像部８５には、上述の図５のＳ５で抽出した商品の画像データを、コーディネートの候補として表示する。
【００８１】
プロパティ部８６には、試着部８２に表示された商品の画像データに関する情報を、商品情報として出力する。プロパティ部８６に表示する情報は、商品ＤＢ５０に記憶された商品の画像データに関連する情報である。この例では、プロパティ部８６には、図７に示す商品ＤＢ５０の（Ａ）のレコードの金額５７、サイズ５４、カラー５６の各項目の値が表示されている。そして、切替ボタン８４Ｌ及び８４Ｒのいずれかが操作されることで、試着部８２に表示された商品の画像データが変更するのに対応して、プロパティ部８６に表示される商品情報も変更する。
【００８２】
購入ボタン８７は、モデル画像８１が“試着”している商品を、実際にユーザが購入する場合に、選択するボタンである。
【００８３】
このように、コーディネートシステム１００は、携帯電話機３を店舗端末１に連携させて、店舗端末１の表示部２２に、ユーザが所有するアイテムの画像データと店舗の商品の画像データとを用いたコーディネート画像を表示する。よって、店舗端末１において、商品ＤＢ５０の商品の画像データを用いることで、携帯電話機３のユーザ又は店舗の店員は、携帯電話機３のユーザが所有のアイテムと、店舗の商品とのコーディネートを簡易にすることができる。また、ユーザは、実際の店舗の場所でコーディネートができるので、試着の手間を省けて、しかも、たくさんの種類のコーディネートを短時間で行うことができる。店舗では、店舗内の様々な商品を用いたコーディネートをユーザに提供できるので、商品の販売促進につなげることができる。
【００８４】
図５に戻り、Ｓ９：制御部１０は、商品購入に関する情報を受け付けたか否かを判断する。商品購入に関する情報を受け付けた場合（Ｓ９：ＹＥＳ）には、処理をＳ１０に移す。他方、商品購入に関する情報を受け付けない場合（Ｓ９：ＮＯ）には、制御部１０は、本処理を終了する。
【００８５】
Ｓ１０：制御部１０（アイテム画像交信手段１２）は、購入した商品の画像データを携帯電話機３に送信する。また、制御部１０（アイテム画像交信手段１２）は、画像データに対応付けられた商品ＤＢ５０の各種項目を、商品の画像データと共に送信する。なお、制御部１０は、商品ＤＢ５０の当該商品の在庫数を１減算するように、商品ＤＢ５０を更新してもよい。
【００８６】
Ｓ１１：携帯電話機３の制御部３０（アイテム画像交信手段３２）は、店舗端末１から送信された商品の画像データを受信する。
【００８７】
Ｓ１２：制御部３０（自宅クローゼット交信手段３１）は、受信した商品の画像データをアイテムの画像データとして、クローゼットＤＢ７０に、ユーザＩＤと、その画像データ及び関連する情報とを格納して、クローゼットＤＢ７０を更新する。なお、制御部３０は、商品ＤＢ５０に記憶された各項目の値を用いてクローゼットＤＢ７０を更新する。また、クローゼットＤＢ７０の取得日７４には、画像データを記憶させた日付を格納する。その後、制御部３０は、本処理を終了する。
【００８８】
このように、商品の購入時には、その商品に関する情報を店舗端末１から携帯電話機３に取り込んで、クローゼットサーバ７に送信するので、コーディネートシステム１００は、自宅で所有のアイテムと、クローゼットサーバ７のクローゼットＤＢ７０に記憶されたアイテムの画像データとを簡単に対応付けることができる。
【００８９】
また、アイテムの画像データをクローゼットＤＢ７０に記憶した日付、つまり、商品の購入日付を、クローゼットＤＢ７０に記憶するので、例えば、店舗端末１の表示部２２に、画像データと共にその日付を表示させることができる。よって、アイテムを所持した日付をユーザが知ることができ、例えば、時代遅れのアイテムを廃棄処分にする等の作業に役立たせることができる。
【００９０】
次に、ユーザが所有のアイテムを捨てた場合について説明する。図９は、第１実施形態に係るアイテム削除処理のフローチャートである。
【００９１】
Ｓ２１：携帯電話機３の制御部３０（自宅クローゼット交信手段３１）は、クローゼットサーバ７に対して通信を行って、クローゼットサーバ７に対する通信を確立する。
【００９２】
Ｓ２２：制御部３０（自宅クローゼット交信手段３１）は、ユーザＩＤをクローゼットサーバ７に送信することで、クローゼットサーバ７のクローゼットＤＢ７０にアクセスして、ユーザＩＤに対応付けがされたコーディネート対象のアイテムの画像データを抽出する。そして、制御部３０は、入力部４４からの入力に基づき、削除したいアイテムの画像データを特定する。
【００９３】
Ｓ２３：制御部１０（クローゼットデータ削除手段３８）は、クローゼットＤＢ７０から特定した画像データに対応するレコードを削除する。その後、制御部１０は、本処理を終了する。
【００９４】
このように、コーディネートシステム１００は、ユーザが実際に所有しているアイテムを処分するにあたって、クローゼットサーバ７のクローゼットＤＢに有するアイテムの対応するデータを削除することができる。よって、ユーザは、自宅の実際に所有するアイテムと、クローゼットＤＢ７０に記憶された情報とを対応付けることができる。
【００９５】
（第２実施形態）
第１実施形態では、店舗端末でコーディネート画像を表示するものであった。第２実施形態では、携帯電話機でもコーディネート画像を表示する例を説明する。また、購入を検討中の商品を携帯電話機に登録して、登録した購入検討中のアイテム（購入予定アイテム）を用いたコーディネートが行える例を説明する。
【００９６】
なお、以降の説明において、上述した第１実施形態と同様の機能を果たす部分には、同一の符号又は末尾に同一の符号を付して、重複する説明を適宜省略する。
【００９７】
［コーディネートシステム２００の機能構成］
図１０は、第２実施形態に係るコーディネートシステム２００の機能構成を示す図である。コーディネートシステム２００は、店舗端末１と、携帯電話機２０３と、商品サーバ５と、クローゼットサーバ７と、通信ネットワーク９とから構成される。
【００９８】
携帯電話機２０３は、制御部２３０と、記憶部２４０と、表示部４２と、入力部４４と、通信Ｉ／Ｆ部４６と、撮影部２４８とを備える。制御部２３０は、他店チェックアイテム画像保持手段２３４と、アイテム選択手段２３５と、コーディネート画像表示手段２３６とを新たに備える。
【００９９】
他店チェックアイテム画像保持手段２３４は、撮影部２４８により撮影された画像データを取得して保持する制御部である。他店チェックアイテム画像保持手段２３４は、入力部４４からの操作により、取得した画像データが、購入していないが検討中のステータスであるステータス情報を、その画像データに対応付けることができる。アイテム選択手段２３５は、店舗端末１から受信した商品の画像データと、クローゼットＤＢ７０から取得したアイテムの画像データと、他店チェックアイテム画像保持手段２３４により取得した購入検討中の商品の画像データ（購入予定アイテム画像データ）との中から複数の画像データを選択する制御部である。コーディネート画像表示手段２３６は、アイテム選択手段２３５にて選択された画像データを用いて、コーディネート画像データを生成して、表示部４２にコーディネート画像を表示させる制御部である。
【０１００】
記憶部２４０は、本発明の携帯電話機２０３で実行される各種機能を実現するためのプログラムや、その他の記憶領域を備える。その他の記憶領域として、例えば、後述するチェックリストを記憶する。撮影部２４８は、商品等を撮影して画像データを生成する、例えば、カメラである。
【０１０１】
［処理の説明］
次に、本実施形態を実現するための処理について説明する。ここでは、ある店舗に赴いたユーザが、携帯電話機２０３を用いて、購入を検討している商品に関するチェックリストを作成して、コーディネートの際に活用する場合を説明する。図１１は、第２実施形態に係るチェックリスト作成処理のフローチャートである。
【０１０２】
Ｓ１０１：制御部２３０は、携帯電話機２０３の撮影部２４８を制御して、購入を検討している商品を撮影する。そして、制御部２３０（他店チェックアイテム画像保持手段２３４）は、商品の画像データを取得する。
【０１０３】
Ｓ１０２：制御部２３０（他店チェックアイテム画像保持手段２３４）は、取得した商品の画像データに対応する画像に関連する情報の入力を受け付ける。画像に関連する情報とは、撮影した日付、商品の店舗名や、値段、サイズ、色、対象季節等の、商品ＤＢ５０が有する項目の一部の項目であってよい。また、制御部２３０（他店チェックアイテム画像保持手段２３４）は、購入していないが検討中のステータスであるステータス情報の入力を受け付ける。例えば、表示部４２に、購入済みアイテムであるか、購入予定アイテムであるか、のいずれかをチェックできるような表示をして、ユーザにいずれかを選択させて入力させることで、制御部２３０は、ステータス情報の入力を受け付けることができる。
【０１０４】
Ｓ１０３：制御部２３０（他店チェックアイテム画像保持手段２３４）は、購入予定アイテムである場合に、画像データと、画像に関連する情報とを対応付けたチェックリストを、記憶部２４０に記憶する。そして、制御部２３０は、本処理を終了する。
【０１０５】
このように、携帯電話機２０３は、撮影部２４８を有することで、他店でチェックした購入検討中の商品の画像データを取り込むことができる。そして、携帯電話機２０３は、商品の画像データを、購入を検討するアイテムとして、チェックリストに記憶させることができる。チェックリストに撮影した日付を含むことで、ユーザは、日付を古くなった情報の取捨に用いることができる。
【０１０６】
また、チェックリストに記憶させる画像に関連する情報として、商品の店舗名や値段等を含むことができる。例えば、携帯電話機２０３を持参したユーザが、複数の店舗を回って、気に入った洋服やアクセサリ等の商品を記憶部２４０に記憶する場合に、その店舗名や値段を入力して記憶させることができる。よって、商品の画像データと相俟って、ユーザに購入検討中の商品を想起させやすくできる。
【０１０７】
図１２は、第２実施形態に係るコーディネート処理の一部のフローチャートである。図１３は、第２実施形態に係るコーディネート画面２９０の例を示す図である。
【０１０８】
図１２は、図５に示したコーディネート処理のフローチャートのうち、Ｓ１２の処理の後に実行されるフローチャートである。
【０１０９】
図１２のＳ１２１：制御部２３０は、ユーザによる入力部４４からの入力を受け付けたことに応じて、表示部４２にコーディネート画面２９０を表示させる。
【０１１０】
Ｓ１２２：制御部２３０は、コーディネート画面２９０に、クローゼットＤＢ７０に追加したアイテムの画像を表示させる。
【０１１１】
Ｓ１２３：制御部２３０（自宅クローゼット交信手段３１）は、クローゼットサーバ７と通信して、クローゼットＤＢ７０に格納された、当該ユーザの他の画像データを抽出する。
【０１１２】
Ｓ１２４：制御部２３０は、記憶部２４０のチェックリストに記憶された購入検討中の商品の画像データを抽出する。
【０１１３】
Ｓ１２５：制御部２３０（アイテム選択手段２３５）は、Ｓ１２３で抽出したアイテムの画像データと、Ｓ１２４で抽出した購入検討中の商品の画像データとの中から、複数の画像データを選択する。
【０１１４】
Ｓ１２６：制御部２３０（コーディネート画像表示手段２３６）は、選択された複数の画像データを組み合わせてコーディネート画像データを生成して、コーディネート画像を表示部４２に表示させる。
【０１１５】
Ｓ１２７：制御部２３０は、Ｓ１２６で組み合わせたコーディネート画像を変更するか否かを判断する。コーディネート画像を変更する場合（Ｓ１２７：ＹＥＳ）には、制御部２３０は、処理をステップＳ１２５に移す。コーディネート画像を変更しない場合（Ｓ１２７：ＮＯ）には、制御部２３０は、本処理を終了する。
【０１１６】
図１３に、携帯電話機２０３の表示部４２に表示されるコーディネート画面２９０を示す。コーディネート画面２９０には、モデル画像２９１と、購入アイテム画像２９２と、クローゼット表示部２９３と、チェックリスト表示部２９４と、試着部２９５とが表示されている。モデル画像２９１は、携帯電話機２０３を使用のユーザを表す画像である。モデル画像２９１は、ユーザ本人の画像でもよいし、架空の人物の画像でもよい。購入アイテム画像２９２は、モデル画像２９１上に表示され、購入した商品の画像データである。クローゼット表示部２９３は、クローゼットＤＢ７０に記憶されたユーザが所有するアイテムの画像データを表示する領域である。チェックリスト表示部２９４は、上述の図１１にて携帯電話機２０３の記憶部２４０に記憶した購入検討中の商品の画像データを表示する領域である。試着部２９５は、モデル画像２９１上に配置され、クローゼット表示部２９３や、チェックリスト表示部２９４に表示された画像データを、ユーザによる入力部４４の操作に応じて配置して表示させる。試着部２９５の配置場所は、ユーザの入力部４４の入力によって、そのモデル画像２９１上の位置を移動させることができる。
【０１１７】
このように、携帯電話機２０３の記憶部２４０は、購入検討中の商品の画像データを記憶したチェックリストを記憶することで、コーディネートの際に、購入検討中の商品の画像データをも利用して、コーディネートを行うことができる。また、携帯電話機２０３は、コーディネート画面２９０を表示することができる。よって、ユーザは、例えば、新たに購入した商品に合うコーディネートを、ユーザが所有のアイテムの画像データを用いて、何通りも行うことができる。そして、携帯電話機２０３でコーディネートができるので、場所や時間等を問わずに、手軽にできる。
【０１１８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【０１１９】
（変形形態）
各実施形態では、店舗端末と携帯電話機との間の通信を赤外線を用いて行うもので説明したが、これに限定されない。例えば、店舗端末と携帯電話機とを有線で接続して、画像データの送受信を行ってもよい。また、ＩＣ通信や、Ｂｌｕｅｔｏｏｔｈ（登録商標）による通信を行うものであってもよい。
【０１２０】
各実施形態において、クローゼットＤＢに有する取得日を利用して、コーディネート画像を表示する際に、取得日を表示するようにしてもよい。このようにすることで、ユーザが、アイテムの購入日を認識することができる。
【０１２１】
各実施形態では、購入した商品の画像データを、店舗端末から携帯電話機が受信して、クローゼットＤＢに登録する例を説明した。しかし、店舗で、又は自宅に帰った後に、ユーザが購入した商品を携帯電話機のカメラで撮影して、撮影した商品の画像データであるＪＰＥＧデータを、ＧＩＦデータに変換する技術を用いて（例えば、特開２００５−５９６０号公報）、アバターの飾り付け用の画像としてクローゼットＤＢに登録するようにしてもよい。その際、携帯電話機は、画像データが購入済みアイテムである入力を受け付けることで、購入予定アイテムと区別することができる。
【０１２２】
第１実施形態において、店舗端末での処理として、複数の画像データを選択してコーディネート画像を生成する一連の処理を行う例を説明したが、これに限定されない。例えば、店舗端末で複数の画像データを選択した後に、それらの画像データを携帯電話機に送信して、携帯電話機でコーディネート画像を生成するようにしてもよい。また、携帯電話機で取得可能な画像データであれば、その商品コードを送信してもよい。このようにすることで、複数の端末で、コーディネートを楽しむことができる。
【０１２３】
第２実施形態では、携帯電話機の記憶部に記憶したチェックリストは、携帯電話機でのコーディネート処理に利用するものであったが、チェックリストに記憶された画像データを、携帯電話機から店舗端末に送信して、店舗端末でのコーディネートに利用させてもよい。また、チェックリストは、携帯電話機の記憶部に記憶したが、ユーザが所有のアイテムとを識別するために、購入検討中のものであるフラグを格納する等を行って、クローゼットサーバのクローゼットＤＢに記憶させてもよい。
【０１２４】
第２実施形態では、撮影部により商品を撮影して画像データを取得したが、これに限定されない。例えば、商品にＲＦＩＤ（Ｒａｄｉｏ  Ｆｒｅｑｕｅｎｃｙ  Ｉｄｅｎｔｉｆｉｃａｔｉｏｎ）タグが付されている場合に、そのタグ情報を読み取ることで、その商品の情報を有する他店の商品ＤＢに通信して、画像データを取得してもよい。このようにすることで、商品に関連する情報を他店の商品ＤＢから画像データを取得でき、ユーザの利便性が向上する。
【符号の説明】
【０１２５】
１    店舗端末
３，２０３  携帯電話機
５    商品サーバ
７    クローゼットサーバ
９    通信ネットワーク
１０，３０，２３０  制御部
１１  商品ＤＢアクセス手段
１２，３２  アイテム画像交信手段
１３，２３５  アイテム選択手段
１４，２３６  コーディネート画像表示手段
２０，４０，２４０  記憶部
２２，４２  表示部
２６，４６  通信Ｉ／Ｆ部
３１  自宅クローゼット交信手段
３８  クローゼットデータ削除手段
５０  商品ＤＢ
７０  クローゼットＤＢ
８０，２９０  コーディネート画面
１００，２００  コーディネートシステム
２３４  他店チェックアイテム画像保持手段
２４８  撮影部
【図１】
2011018115.tif 000003
【図２】
2011018115.tif 000004
【図３】
2011018115.tif 000005
【図４】
2011018115.tif 000006
【図５】
2011018115.tif 000007
【図６】
2011018115.tif 000008
【図７】
2011018115.tif 000009
【図８】
2011018115.tif 000010
【図９】
2011018115.tif 000011
【図１０】
2011018115.tif 000012
【図１１】
2011018115.tif 000013
【図１２】
2011018115.tif 000014
【図１３】
2011018115.tif 000015